(57)【要約】【課題】仮設の支持梁を昇降路に設けることを要せずに、容易にかつ迅速に昇降路内機器を据付けることができるエレベータ据付方法の提供。【解決手段】最上部ガイドレール３ａに主ロープ７の一端のロープエンド１７を設け、ロープエンド１７を介し最上部ガイドレール３ａに負荷される総懸垂荷重を、最上部ブラケット１８，１９を介し昇降路１の壁に支持させるとともに、他の最上部ガイドレール４ａにも主ロープ７の他端のロープエンド２２を設け、ロープエンド２２を介し最上部ガイドレール４ａに負荷される総懸垂荷重を、最上部ブラケット２３，２４を介し昇降路１の壁に支持させるようにした。【選択図】        図１
2004189367.tif 000002
【特許請求の範囲】
【請求項１】
乗かご及びつり合いおもりをそれぞれ案内する複数のガイドレールのうちの最下部ガイドレール及び最上部ガイドレールを、それぞれ最下部ブラケット及び最上部ブラケットを介して昇降路壁に固定し、前記最下部ガイドレール及び最上部ガイドレールにそれぞれ係合させた状態で乗かご及びつり合いおもりを組み上げた後、これらの乗かご及びつり合いおもりを主ロープにて連結して釣瓶式に昇降させ、前記乗かご及びつり合いおもりの昇降時に負荷される総懸垂荷重を前記昇降路壁に支持させた状態で、昇降路内機器の芯出し固定を行なうエレベータの据付方法において、
前記最上部ガイドレールに、前記主ロープの両端のロープエンドを設けるとともに、これらのロープエンドを介して前記最上部ガイドレールに負荷される前記総懸垂荷重を、前記最上部ブラケットを介して前記昇降路壁に支持させるよう構成したことを特徴とするエレベータの据付方法。
【請求項２】
請求項１記載のエレベータの据付方法において、前記最上部ガイドレールを前記最上部ブラケットとの間で挟圧するレールクリップの員数を増加させることを特徴とするエレベータの据付方法。
【請求項３】
請求項１記載のエレベータの据付方法において、前記最上部ブラケットが、前記総懸垂荷重の曲げモーメントを支持可能な強度部材を備えたことを特徴とするエレベータの据付方法。
【請求項４】
請求項１から請求項３のいずれかに記載のエレベータの据付方法において、前記最上部ブラケットは、据付作業の完了後に本設のエレベータに使用されることを特徴とするエレベータの据付方法。
【発明の詳細な説明】
【０００１】
【発明の属する技術分野】
この発明は、昇降路の頂部に機械室を設けないいわゆる機械室レス形式のエレベータの据付方法に係わり、特に、つり合いおもりと釣瓶式に連結した乗かごを昇降させて昇降路内機器を据付けるエレベータの据付方法に関する。
【０００２】
【従来の技術】
従来、エレベータが設置される建物には、昇降路の頂部に巻上機や制御盤を設置した機械室が設けられていた。このように昇降路の頂部の機械室に巻上機を設置した場合、乗かご及びつり合いおもりの総懸垂荷重は、巻上機を介して機械室の床に負荷され建物で支持することになる。よって、エレベータのガイドレールには前記の総懸垂荷重が負荷されないため、ガイドレールを立設しながら、巻上機により乗かごを昇降させながら昇降路内機器を据付けることが可能であった。しかしながら、上述した従来のエレベータでは、乗かごが最上階まで上昇するため、上記の機械室は必然的に建物屋上から一段突出することとなり、建物北側に位置する住宅地に対して目照権の問題を提起し、また、美観的にも好ましくないものであった。
【０００３】
そこで近年、法規制が緩和され、所定の条件下において巻上機や制御盤を昇降路内に設置することが認められるようになった。このようないわゆる機械室レス形式のエレベータにあっては、昇降路内に設置される巻上機を介して負荷された乗かご及びつり合いおもりの総懸垂荷重を支持する建物の床がないため、その総懸垂荷重をガイドレールを介して昇降路底部で支持する構造としている。そのため、ガイドレールを立設しながら巻上機によって乗かごを昇降させながら昇降路内機器を据付けることが困難である。
【０００４】
図３はこの種のエレベータの据付方法の一例を説明する斜視図、図４は図３のエレベータに設けられるレールブラケット及びレールクリップを示す斜視図である。
【０００５】
図３に示すエレベータは、昇降路１と、順次連結され昇降路１底部のベース材２上に立設される２組のガイドレール３，４と、これらのうち一対のガイドレール３により案内され、昇降路１を昇降する乗かご５と、他の一対のガイドレール４により案内され、昇降路１を昇降するつり合いおもり６と、これらの乗かご５およびつり合いおもり６を連結して釣瓶式に吊上げる主ロープ７と、昇降路１の底部に設置され、主ロープ７を巻き上げる巻上機８とを備えている。乗かご５を案内するガイドレール３は、所定の間隔をおいて配置されるレールブラケット９を介し昇降路１の壁に固定されており、つり合いおもり６を案内する他のガイドレール４も同様である。また、図４に示すようにレールクリップ１０とレールブラケット９との間で最上部ガイドレール３ａを挟圧するようになっており、レールブラケット９は、複数のガイドレール３のうちの最上部ガイドレール３ａに対しても左右一対の計２個使用されている。
【０００６】
そして従来、この種のエレベータの据付方法として、仮設の支持梁１１，１２を昇降路１の頂部を横切って配置するとともに、仮設の支持梁１１，１２をブラケット１３，１４を介して昇降路１の壁に固定し、これらの支持梁１１，１２で乗かご５及びつり合いおもり６より掛かる総懸垂荷重を支持するものが知られている（例えば、特許文献１参照。）。
【０００７】
【特許文献１】
特開２０００―６０１５８号公報（段落番号００１７、図１〜図３）
【０００８】
【発明が解決しようとする課題】
ところで、上述した従来のエレベータの据付方法では、昇降路１の頂部を横切って配置された仮設の支持梁１１，１２が長物であり、かつかなりの重量があるため、これらの支持梁１１，１２の設置と解体が困難であるという問題がある。また、仮設の支持梁１１，１２を昇降路１の大きさに合せて据付工事毎に準備する必要があるためエレベータ据付工期が長引くとともに、仮設の支持梁１１，１２の機材管理に費用が掛かるという問題もある。
【０００９】
この発明は、上記した従来技術における実状を鑑みてなされたもので、その目的は、昇降路に仮設の支持梁を設けることを要せずに、容易に、かつ迅速にエレベータの昇降路内機器を据付けることのできるエレベータの据付方法を提供することにある。
【００１０】
【課題を解決するための手段】
上記目的を達成するため本発明の請求項１に係わる発明は、乗かご及びつり合いおもりをそれぞれ案内する複数のガイドレールのうちの最下部ガイドレール及び最上部ガイドレールを、それぞれ最下部ブラケット及び最上部ブラケットを介して昇降路壁に固定し、前記最下部ガイドレール及び最上部ガイドレールにそれぞれ係合させた状態で乗かご及びつり合いおもりを組み上げた後、これらの乗かご及びつり合いおもりを主ロープにて連結して釣瓶式に昇降させ、前記乗かご及びつり合いおもりの昇降時に負荷される総懸垂荷重を前記昇降路壁に支持させた状態で、昇降路内機器の芯出し固定を行なうエレベータの据付方法において、前記最上部ガイドレールに、前記主ロープの両端のロープエンドを設けるとともに、これらのロープエンドを介して前記最上部ガイドレールに負荷される前記総懸垂荷重を、前記最上部ブラケットを介して前記昇降路壁に支持させるよう構成した。
【００１１】
このように請求項１に係わる発明では、乗かご及びつり合いおもりを主ロープにて連結して釣瓶式に昇降させるとき、主ロープの両端のロープエンドを介して負荷される総懸垂荷重を、最上部ガイドレールで受けるとともに最上部ブラケットを介して昇降路壁に支持させる。これにより、前記の総懸垂荷重を支持する仮設の支持梁を昇降路に設けることを要せずに、乗かごを昇降させながら容易に、かつ迅速にエレベータの昇降路内機器を据付けることができる。
【００１２】
また、本発明の請求項２に係わる発明は、請求項１に係わるエレベータの据付方法において、前記最上部ガイドレールを前記最上部ブラケットとの間で挟圧するレールクリップの員数を増加させる構成にした。
【００１３】
このように請求項２に係わる発明では、最上部ガイドレールを挟圧するレールクリップの員数を増加させることで最上部ガイドレールを挟圧する力が大きくなるので、乗かご及びつり合いおもりの総懸垂荷重がロープエンドを介して負荷される最上部ガイドレールを確実に支持することができる。
【００１４】
また、本発明の請求項３に係わる発明は、請求項１に係わるエレベータの据付方法において、前記最上部ブラケットが、前記総懸垂荷重の曲げモーメントを支持可能な強度部材を備えた構成にした。
【００１５】
このように請求項３に係わる発明では、最上部ガイドレールに負荷される総懸垂荷重の曲げモーメントを最上部ブラケットの強度部材で支持できるので、最上部ガイドレールに曲げ力が加わった場合でも最上部ガイドレールを強固に支持することができる。
【００１６】
また、本発明の請求項４に係わる発明は、請求項１から請求項３のいずれかに係わるエレベータの据付方法において、前記最上部ブラケットは、据付作業の完了後に本設のエレベータに使用される構成にした。
【００１７】
このように請求項４に係わる発明では、エレベータの昇降路内機器を据付ける際に使用した最上部ブラケットを、据付作業の完了後も取外すことなく本設のエレベータに使用することにより、エレベータ据付作業の効率を向上させることができる。
【００１８】
【発明の実施の形態】
以下、本発明のエレベータの据付方法の実施の形態を図に基づいて説明する。
【００１９】
図１は本発明の一実施形態に係わるエレベータの据付方法を説明する斜視図、図２は図１のエレベータの据付方法で用いられる最上部ブラケット及びレールクリップを示す斜視図である。
【００２０】
図１に示すエレベータでは、乗かご５用の最上部ガイドレール３ａの上端に取付けられる吊りビーム１５と、この吊りビーム１５につなぎ部材１６を介して連結されるロープエンド１７と、最上部ガイドレール３ａを昇降路１の壁に固定する最上部ブラケット１８，１９と、つり合いおもり６用の最上部ガイドレール４ａの上端に取付けられる吊りビーム２０と、この吊りビーム２０につなぎ部材２１を介して連結されるロープエンド２２と、最上部ガイドレール４ａを昇降路１の壁に固定する最上部ブラケット２３，２４とが設けられている。
【００２１】
また、最上部ブラケット１８は、図２に示すように、最上部ガイドレール３ａに負荷される総懸垂荷重の曲げモーメントを支持可能な強度部材２５と、この強度部材２５との間で最上部ガイドレール３ａを挟圧する左右三対（計６個）のレールクリップ２６とを備えており、他の最上部ブラケット１９、２３，２４もそれぞれ同様である。
【００２２】
そして、本実施形態の据付方法にあっては、乗かご５用の最上部ガイドレール３ａに吊りビーム１５、つなぎ部材１６及びロープエンド１７を介して吊りロープ７の一端を取付けて、前記のロープエンド１７を介して最上部ガイドレール３ａに負荷される総懸垂荷重を、最上部ブラケット１８，１９を介して昇降路１の壁に支持させる。また、つり合いおもり６用の最上部ガイドレール４ａに吊りビーム２０、つなぎ部材２１及びロープエンド２２を介して吊りロープ７の他端を取付けて、前記のロープエンド２２を介して最上部ガイドレール４ａに負荷される総懸垂荷重を、最上部ブラケット２３，２４を介して昇降路１の壁に支持させる。この状態で乗かご５及びつり合いおもり６を主ロープ７にて釣瓶式に昇降させながら、乗かご５に乗り込んだ作業者が昇降路１内の機器の芯出し固定を行なう。次いで、このようにしてエレベータ据付作業を完了した後も最上部ブラケット１８，１９、２３，２４を取外すことなく本設のエレベータに使用するようになっている。
【００２３】
このように構成した実施形態では、主ロープ７を介して負荷される乗かご５及びつり合いおもり６の総懸垂荷重を最上部ガイドレール３ａ，４ａで受けるとともに最上部ブラケット１８，１９、２３，２４を介して昇降路１の壁に支持させるので、従来のように仮設の支持梁を昇降路１に設けることを要せずに済む。したがって、長物で重量のある仮設の支持梁の設置と解体作業及び支持梁の機材管理が不要となり、コスト削減を図れるとともに、仮設の支持梁を昇降路１の大きさに合せて据付工事毎の準備が不要となり据付工期を短くできるので、容易にかつ迅速にエレベータの昇降路内機器を据付けることができる。
【００２４】
また、本実施形態では、最上部ブラケット１８のレールクリップ２６の員数を増加させることで最上部ガイドレール３ａを挟圧する力が大きくなるので、乗かご５及びつり合いおもり６の総懸垂荷重がロープエンド１７を介して負荷される最上部ガイドレール３ａを確実に支持することができ、他の最上部ブラケット１９、２３，２４の図示しないレールクリップに関しても同様である。
【００２５】
また、本実施形態では、最上部ガイドレール３ａに負荷される総懸垂荷重の曲げモーメントを最上部ブラケット１８の強度部材２５で支持できるので、最上部ガイドレールに曲げ力が加わった場合でも最上部ガイドレール３ａを強固に支持することができ、他の最上部ブラケット１９、２３，２４の図示しない強度部材に関しても同様である。
【００２６】
また、本実施形態では、昇降路内機器を据付ける際に使用した最上部ブラケット１８，１９、２３，２４を据付作業の完了後も取外さずに本設のエレベータに使用することにより、エレベータ据付作業の効率向上を図ることができる。
【００２７】
なお、上記実施形態では、最上部ガイドレール３ａを２つの最上部ブラケット１８，１９により支持する場合を例示したが、最上部ガイドレール３ａに負荷される総懸垂荷重が比較的小さい場合には１つのみの最上部ブラケット１８で最上部ガイドレール３ａを支持することもできる。また、同様に１つのみの最上部ブラケット２３で最上部ガイドレール４ａを支持することもできる。
【００２８】
【発明の効果】
以上説明したように本発明の請求項１に係わる発明では、主ロープを介して負荷される乗かご及びつり合いおもりの総懸垂荷重を最上部ガイドレールで受けるとともに最上部ブラケットを介して昇降路壁に支持させるので、従来のように仮設の支持梁を昇降路に設けることを要せずに、乗かごを昇降させながら容易にかつ迅速にエレベータの昇降路内機器を据付けることができる。
【００２９】
また、本発明の請求項２に係わる発明では、最上部ブラケットのレールクリップの員数を増加させることで最上部ガイドレールを挟圧する力が大きくなるので、乗かご及びつり合いおもりの総懸垂荷重がロープエンドを介して負荷される最上部ガイドレールを確実に支持することができる。
【００３０】
また、本発明の請求項３に係わる発明では、最上部ガイドレールに負荷される総懸垂荷重の曲げモーメントを最上部ブラケットの強度部材で支持できるので、最上部ガイドレールに曲げ力が加わった場合でも最上部ガイドレールを強固に支持することができる。
【００３１】
また、本発明の請求項４に係わる発明では、昇降路内機器を据付ける際に使用した最上部ブラケットを据付作業の完了後も取外さずに本設のエレベータに使用するので、エレベータ据付作業の効率向上を図ることができる。
【図面の簡単な説明】
【図１】本発明の一実施形態に係わるエレベータの据付方法を説明する斜視図である。
【図２】図１のエレベータの据付方法で用いられる最上部ブラケット及びレールクリップを示す斜視図である。
【図３】エレベータの据付方法の一例を説明する斜視図である。
【図４】図３のエレベータに設けられるレールブラケット及びレールクリップを示す斜視図である。
【符号の説明】
１  昇降路
３，４  ガイドレール
３ａ，４ａ  最上部ガイドレール
３ｂ，４ｂ  最下部ガイドレール
５  乗かご
６  つり合いおもり
７  主ロープ
９  レールブラケット
１５  吊りビーム
１６  つなぎ部材
１７  ロープエンド
１８，１９  最上部ブラケット
２０  吊りビーム
２１  つなぎ部材
２２  ロープエンド
２３，２４  最上部ブラケット
２５  強度部材
２６  レールクリップ
【図１】
2004189367.tif 000003
【図２】
2004189367.tif 000004
【図３】
2004189367.tif 000005
【図４】
2004189367.tif 000006